(57)【特許請求の範囲】
【請求項１】
室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、
室内天井壁と、室外天井壁と、上壁と、側壁と、隔壁と、室内給気口と、室外給気口と、スリーブとを備え、
前記室内天井壁は、その下方に室内が臨む箇所に設けられ、
前記室外天井壁は、その下方に室外に臨む空間が位置する箇所に設けられ、
前記上壁は、前記室内天井壁及び前記室外天井壁の上方にこれら天井壁と間隔を隔てて設けられ、
前記側壁は、前記室内天井壁と前記室外天井壁と前記上壁とを接続し、これらの壁により天井裏の空間を形成するように設けられ、
前記隔壁は、前記室内天井壁と前記室外天井壁の間の箇所に配設され、前記天井裏の空間を室内天井裏空間と室外天井裏空間とに隔てるように設けられ、
前記室内給気口は、前記室内天井壁の前記開口部の近傍の箇所で前記室内と前記室内天井裏空間とを連通するように設けられ、
前記室外給気口は、前記室外天井壁の前記開口部の近傍の箇所で前記室外と前記室外天井裏空間とを連通するように設けられ、
前記隔壁には前記開口部の近傍の箇所で、かつ、前記室内給気口および前記室外給気口の近傍の箇所で、前記室内天井裏空間と前記室外天井裏空間とを連通する貫通孔が設けられ、
前記スリーブは前記隔壁の厚さと同じ寸法の長さを有して前記貫通孔内に配設され、
前記室内と前記室外との間に気圧差が発生した状態で前記開閉扉を開放した際に、前記室外給気口、前記室外天井裏空間、前記スリーブ、前記室内天井裏空間、前記室内給気口をこの順番で経由して前記室外から前記室内に流れる空気によって前記室内と前記室外との気圧差が緩和され前記開閉扉が容易に開放できるに足る給気量が確保できるように、前記スリーブの有効開口面積および設置数が設定されている、
ことを特徴とする気圧差調整装置。
【請求項２】
室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、
壁部と、スリーブと、開口面積調整手段とを備え、
前記壁部は前記建築物の室内と室外とを隔てるように設けられ、
前記壁部には前記開口部の近傍の箇所で室内と室外とを連通する貫通孔が設けられ、
前記スリーブは前記壁部の厚さと同じ寸法の長さを有して前記貫通孔内に配設され、
前記室内と前記室外との間に気圧差が発生した状態で前記開閉扉を開放した際に、前記スリーブを経由して前記室外から前記室内に流れる空気によって前記室内と前記室外との気圧差が緩和され前記開閉扉が容易に開放できるに足る給気量が確保できるように、前記スリーブの有効開口面積および設置数が設定され、
前記開口面積調整手段は、前記スリーブの室内または室外に臨む箇所に設けられ、前記スリーブの有効開口面積の大きさを調整するように構成されている、
ことを特徴とする気圧差調整装置。
【請求項３】
室内の空気を室外へ排気するための換気扇と、前記換気扇によって排気される空気を室内から室外に導く排気ダクトと、前記換気扇の空気を吸入する部分の近傍に室外の空気を導く給気ダクトとを設けたことを特徴とする請求項１または２記載の気圧調整装置。
【発明の詳細な説明】
【０００１】
【発明の属する技術分野】
本発明は建築物の室内と室外の気圧差を緩和することによって扉の開閉障害を防止する気圧差調整装置に関する。
【０００２】
【従来の技術】
建築物の玄関扉を開閉する場合、建築物の室内と室外の間に気圧差が生じると、玄関扉の開閉に支障を来すことがある。例えば、玄関扉に向かって強い風が吹きつけていたり、建築物の室内において換気扇を動作させて室内の空気を室外に排気したりしている場合には、室内の気圧が負圧となり室外の気圧が正圧となり、室内外の気圧差によって玄関扉が開けにくくなる。このような扉の開閉障害を回避するためには、室内と室外との気圧差を緩和する必要がある。
【０００３】
ところで、従来から、室内と室外との間で換気を行うために、玄関扉の近くに空気が流通する給気口が設けられたり、天井裏の空間を利用して室内と室外の空気を流通させたりすることが行われている。そして、このような室内と室外の空気の流通によって室内と室外との気圧差を緩和することが図られている。
【０００４】
【発明が解決しようとする課題】
しかしながら、玄関扉の近くに設けられている給気口は、換気を目的としており、給気口の有効開口面積が少なく、屋外から屋内への給気量が不足しているため、室内と室外の気圧差を緩和するには至っていない。
また、天井裏の空間を利用して空気を流通させる場合も同様であり、換気を目的としており、空気の流通する経路が屋外の給気口で狭く、天井裏の空間で広くなり、屋内の給気口で再び狭くなっている。このため、屋外から屋内に流入する空気の流路面積が縮小、拡大、縮小と変化して流路間の抵抗が大きく屋外から屋内への給気量が不足してやはり室内と室外の気圧差を緩和する機能が不十分であった。
また、屋内で換気扇を使用して屋内の空気を屋外に排気しているような場合には、室内と室外との気圧差が増大し、玄関扉がさらに開けにくくなるという問題がある。
本発明は前記事情に鑑み案出されたものであって、本発明の目的は、屋内と屋外の気圧差を緩和することで扉の開閉を容易に行うことができる気圧差調整装置を提供することにある。
【０００５】
【課題を解決するための手段】
前記目的を達成するため本発明は、室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、室内天井壁と、室外天井壁と、上壁と、側壁と、隔壁と、室内給気口と、室外給気口と、スリーブとを備え、前記室内天井壁は、その下方に室内が臨む箇所に設けられ、前記室外天井壁は、その下方に室外に臨む空間が位置する箇所に設けられ、前記上壁は、前記室内天井壁及び前記室外天井壁の上方にこれら天井壁と間隔を隔てて設けられ、前記側壁は、前記室内天井壁と前記室外天井壁と前記上壁とを接続し、これらの壁により天井裏の空間を形成するように設けられ、前記隔壁は、前記室内天井壁と前記室外天井壁の間の箇所に配設され、前記天井裏の空間を室内天井裏空間と室外天井裏空間とに隔てるように設けられ、前記室内給気口は、前記室内天井壁の前記開口部の近傍の箇所で前記室内と前記室内天井裏空間とを連通するように設けられ、前記室外給気口は、前記室外天井壁の前記開口部の近傍の箇所で前記室外と前記室外天井裏空間とを連通するように設けられ、前記隔壁には前記開口部の近傍の箇所で、かつ、前記室内給気口および前記室外給気口の近傍の箇所で、前記室内天井裏空間と前記室外天井裏空間とを連通する貫通孔が設けられ、前記スリーブは前記隔壁の厚さと同じ寸法の長さを有して前記貫通孔内に配設され、前記室内と前記室外との間に気圧差が発生した状態で前記開閉扉を開放した際に、前記室外給気口、前記室外天井裏空間、前記スリーブ、前記室内天井裏空間、前記室内給気口をこの順番で経由して前記室外から前記室内に流れる空気によって前記室内と前記室外との気圧差が緩和され前記開閉扉が容易に開放できるに足る給気量が確保できるように、前記スリーブの有効開口面積および設置数が設定されていることを特徴とする。
また本発明は、室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、壁部と、スリーブと、開口面積調整手段とを備え、前記壁部は前記建築物の室内と室外とを隔てるように設けられ、前記壁部には前記開口部の近傍の箇所で室内と室外とを連通する貫通孔が設けられ、前記スリーブは前記壁部の厚さと同じ寸法の長さを有して前記貫通孔内に配設され、前記室内と前記室外との間に気圧差が発生した状態で前記開閉扉を開放した際に、前記スリーブを経由して前記室外から前記室内に流れる空気によって前記室内と前記室外との気圧差が緩和され前記開閉扉が容易に開放できるに足る給気量が確保できるように、前記スリーブの有効開口面積および設置数が設定され、前記開口面積調整手段は、前記スリーブの室内または室外に臨む箇所に設けられ、前記スリーブの有効開口面積の大きさを調整するように構成されていることを特徴とする。
また、本発明は、室内の空気を室外へ排気するための換気扇と、前記換気扇によって排気される空気を室内から室外に導く排気ダクトと、前記換気扇の空気を吸入する部分の近傍に室外の空気を導く給気ダクトとを設けたことを特徴とする。
【０００６】
本発明装置では、開閉扉を開閉したときに、室外の室内給気口、気圧差調整ダクト、室外給気口を通って室外の空気が室内に導かれるので、室内と室外の気圧差が緩和される。
また、本発明装置では、開閉扉を開閉したときに、室外の室内給気口、スリーブ、室外給気口を通って室外の空気が室内に導かれるので、室内と室外の気圧差が緩和される。
また、本発明装置では、開閉扉を開閉したときに、スリーブを通って室外の空気が室内に導かれるので、室内と室外の気圧差が緩和される。そして、スリーブの有効開口面積が開口面積調整手段によって調整されるので、室外から室内に導かれる空気の量（給気量）を任意に調整することができる。
【０００７】
【発明の実施の形態】
以下、本発明の気圧差調整装置を図面を参照して説明する。
図１は第１の参考例における気圧差調整装置の構成を示す全体構成図、図２は第１の参考例における要部の説明図、図３は第１の実施の形態を示す要部の説明図、図４は第２の実施の形態を示す要部の説明図である。
【０００８】
図１を参照して気圧調整装置の全体構成について説明する。第１の参考例ではマンションなどの集合住宅を構成する建築物に本発明の気圧調整装置を適用した例を説明する。
建築物１００には、床壁１０２、床壁１０２の側縁部から立設される側壁１０４、側壁１０４の上部を接続する上壁１０６、室内天井壁１０８、室外天井壁１１０、隔壁１１２、室内給気口１３２、室外給気口１３４、気圧差調整ダクト１３６、換気扇１３８、排気ダクト１４０などが設けられている。
【０００９】
室内天井壁１０８は、その下方に室内が臨む箇所に設けられている。室外天井壁１１０は、その下方に室外に臨む空間が位置する箇所に設けられている。そして、上壁１０６は、室内天井壁１０８及び室外天井壁１１０の上方にこれら天井壁と間隔を隔てて設けられている。
【００１０】
側壁１０４は、室内天井壁１０８と室外天井壁１１０と上壁１０６とを接続し、これらの壁により天井裏の空間を形成するように設けられている。
隔壁１１２は、室内天井壁１０８と室外天井壁１１０の間の箇所に配設され、天井裏の空間を室内天井裏空間１１４と室外天井裏空間１１６とに隔てるように設けられている。
【００１１】
床壁１０２、側壁１０４、室内天井壁１０８によって囲まれた空間に玄関室１１８、居室１２０、１２２が形成されている。また、居室１２２の隣には側壁１０４を隔てて室外に臨むベランダ１２４が設けられており、玄関室１１８の隣には室外に臨む廊下１２６が設けられている。
【００１２】
玄関室１１８には、室内と室外とを連通する開口部１２８が設けられ、開口部１２８には該開口部１２８を開閉する玄関扉１３０（特許請求の範囲の開閉扉に相当）が設けられている。
【００１３】
図２に示すように、室内給気口１３２は、室内天井壁１０８の開口部１２８の近傍の箇所で室内と室内天井裏空間１１４とを連通するように設けられている。室内給気口１３２には、ガラリ１３２Ａが装着されている。
また、室外給気口１３４は、室外天井壁１１０の開口部１２８の近傍の箇所で室外と室外天井裏空間１１６とを連通するように設けられている。室外給気口１３４には、ガラリ１３４Ａと防虫網１３４Ｂが装着されている。
【００１４】
隔壁１１２には開口部１２８の近傍の箇所で室内天井裏空間１１４と室外天井裏空間１１６とを連通する貫通孔１４２が設けられ、気圧差調整ダクト１３６は、貫通孔１４２を通って配設され、室内給気口１３２と室外給気口１３４とを連通するように構成されている。
【００１５】
また、図１に示すように、居室１２０の屋内天井裏空間１１４には、換気扇１３８が配設されており、換気扇１３８が排出する排気を屋外に導く排気ダクト１１４が屋内天井裏空間１１４から屋外天井裏空間１１６を経由して配設されている。
【００１６】
したがって、第１の参考例において、気圧調整装置は、室内天井壁１０８と、室外天井壁１１０と、上壁１０６と、側壁１０４と、隔壁１１２と、室内給気口１３２と、室外給気口１３４と、気圧差調整ダクト１３６とを備えて構成されている。
【００１７】
上述の構成によれば、矢印Ｄで示すように室外から玄関扉に向かって強い風が吹きつけている際に、玄関扉１３０を開放しようとすると、室外の空気が室外給気口１３４、気圧差調整ダクト１３６、室内給気口１３２を経由して室内に導かれるので、室内と室外の気圧差が緩和され、玄関扉１３０を容易に開放することができる。
【００１８】
また、換気扇１３８を動作させて室内の空気を室外に排気している場合にも、上述と同様に、室外の空気が室外給気口１３４、気圧差調整ダクト１３６、室内給気口１３２を経由して室内に導かれるので、室内と室外の気圧差が緩和され、玄関扉１３０を容易に開放することができる。
なお、気圧差調整ダクト１３６の有効開口面積や設置数は、室内と室外との気圧差を緩和するために流通する給気量が十分なものとなるように設定すればよい。
【００１９】
また、予め気圧差調整ダクト１３６の有効開口面積を大き目に設定しておけば、気圧差調整ダクト１３６を部分的に塞ぐなどして有効開口面積の大きさを変えて給気量を調整することができる。したがって、高層マンションのように高層階と低層階とで室内と室外との気圧差が異なるような場合には、階の高さに対応して給気量を適正な値に調整することができる。
【００２０】
次に、図１、図３を参照して第１の実施の形態について説明する。なお、図３において図２と同一の部分については同一の符号を付して説明を省略する。
第１の実施の形態においては、図１に示した気圧差調整ダクト１３６を設ける代わりにスリーブ１４６を設けている。
【００２１】
図３に示すように、隔壁１１２には開口部１２８の近傍の箇所で室内天井裏空間１１４と室外天井裏空間１１６とを連通する貫通孔１４４が設けられている。そして、スリーブ１４６が貫通孔１４４内に配設されている。
【００２２】
上記構成によれば、第１の参考例の場合と同様に、室外の空気が室外給気口１３４、スリーブ１４６、室内給気口１３２を経由して室内に導かれるので、室内と室外の気圧差が緩和され、玄関扉１３０を容易に開放することができる。
また、換気扇１３８を動作させて室内の空気を室外に排気している場合にも、上述と同様に室内と室外の気圧差が緩和され、玄関扉１３０を容易に開放することができる。
なお、スリーブ１４６の有効開口面積や設置数は、室内と室外との気圧差を緩和するために流通する給気量が十分なものとなるように設定すればよい。
【００２３】
また、予めスリーブ１４６の有効開口面積を大き目に設定しておけば、スリーブ１４６を部分的に塞ぐなどして有効開口面積の大きさを変えて給気量を調整することができる。したがって、高層マンションのように高層階と低層階とで室内と室外との気圧差が異なるような場合には、階の高さに対応して給気量を適正な値に調整することができる。
【００２４】
次に、図４を参照して第２の実施の形態について説明する。
第２の実施の形態では、室内天井裏空間１１４と室外天井裏空間１１６とが無い場合に適用される。
すなわち、第２の実施の形態の気圧差調整装置は、側壁１０４（特許請求の範囲の壁部に相当）と、スリーブ１５０と、開口面積調整手段１５２とを備えている。
【００２５】
側壁１０４は建築物の室内と室外とを隔てるように設けられている。側壁１０４には開口部１２８の近傍の箇所で室内と室外とを連通する貫通孔１４８が設けられている。
スリーブ１５０は貫通孔１４８内に配設されている。
【００２６】
なお、スリーブ１５０に防虫網やガラリを取着することは任意である。また、スリーブ１５０の有効開口面積や設置数は、室内と室外との気圧差を緩和するために流通する給気量が十分なものとなるように設定すればよい。
【００２７】
開口面積調整手段１５２は、スリーブ１５０の室内に臨む箇所に設けられ、スリーブ１５２の有効開口面積の大きさを調整するように構成されている。なお、開口面積調整手段１５２はスリーブ１５０の室外に臨む箇所に設けてもよい。
開口面積調整手段１５２は、スリーブ１５０に取着されて開口面積を自在に変えることができるように構成された蓋によって構成することができる。
【００２８】
上記構成によれば、室外の空気がスリーブ１５０を経由して室内に導かれるので、室内と室外の気圧差が緩和され、玄関扉１３０を容易に開放することができる。
また、換気扇１３８を動作させて室内の空気を室外に排気している場合にも、上述と同様に室内と室外の気圧差が緩和され、玄関扉１３０を容易に開放することができる。
【００２９】
また、スリーブ１５０の有効開口面積は、開口面積調整手段１５２によって任意に調整することができるので、高層マンションのように高層階と低層階とで室内と室外との気圧差が異なるような場合には、階の高さに対応して給気量を適正な値に調整することができる。
【００３０】
また、第１、第２の実施の形態において、従来用いられていた、玄関扉１３０のノブと鍵の機構に設けられた圧力調整用扉を併用することも可能である。この場合には、圧力調整用扉が開閉する開口部の有効開口面積に対応させて、気圧差調整ダクト１３６、スリーブ１４６、１５０の有効開口面積を設定あるいは調整することで、圧力調整用扉が開閉する開口部の有効開口面積を任意に設定することが可能である。
【００３１】
次に、図５、図６、図７を参照して第２の参考例について説明する。
図５は玄関扉の説明図であり、図５（Ａ）は正面図、図５（Ｂ）は側面図を示す。図６は玄関扉のノブの操作を説明する説明図である。図７は気圧差調整扉の動作説明図であり、図７（Ａ）は気圧差調整扉が閉鎖位置にある状態を示し、図７（Ｂ）は気圧差調整扉が開放位置にある状態を示す。
【００３２】
図５、図６に示すように、玄関扉１３０には、ノブ１６０、通気口１６２、気圧差調整扉１６４、扉保持機構１６６（図６に示す）が設けられている。
ノブ１６０は、この玄関扉１３０を開閉する際に操作するものである。
通気口１６２は、室内（玄関室）と室外とを連通するように玄関扉１３０に設けられている。
【００３３】
図７に示すように、気圧差調整扉１６４は、その下端の箇所において通気口１６２の縁部の箇所においてヒンジ１６４Ａによって揺動可能に支持され、通気口１６２を開放する開放位置（図７（Ｂ））と、閉鎖する閉鎖位置（図７（Ａ））との間を移動可能に支持されている。そして、気圧差調整扉１６４は、不図示の付勢部材によって通気口１６２を閉鎖する方向に付勢されており、気圧差調整扉１６４の上部１６４Ｅが通気口１６２の上縁部１６２Ａに当接することで閉鎖位置に位置するように付勢されている。
気圧差調整扉１６４の上端の箇所には、係合凹部１６４Ｂが設けられている。
また、気圧差調整扉１６４には、新聞受け１６５が設けられている。
【００３４】
扉保持機構１６６は、ノブ１６０の操作に連動して気圧差調整扉１６４の係合凹部１６４Ｂと係脱する係合凸部１６６Ａを有している。
扉保持機構１６６は、玄関扉１３０が閉鎖される際、係合凸部１６６Ａを気圧差調整扉１６４の係合凹部１６４Ｂに突出させて係合させることで、気圧差調整扉１６４を閉鎖位置で保持するように構成されている。
【００３５】
また、扉保持機構１６６は、玄関扉１３０を開放する際のノブ１６０の操作、すなわち図６に示すようにノブ１６０を実線位置から破線位置へ回動する操作にによって係合凸部１６６Ａを気圧差調整扉１６４の係合凹部１６４Ｂから退避させて係合を解除することで、気圧差調整扉１６４の閉鎖位置での保持を解除するように構成されている。
【００３６】
気圧差調整扉１６４は、扉保持機構１６６による保持が解除された状態で前述した付勢部材の付勢によって閉鎖位置に位置するように構成されている。そして、扉保持機構１６６による保持が解除された際に通気口１６２の箇所を室外から室内に向かって流れる空気（矢印Ｄ）によって閉鎖位置から開放位置に向かって揺動されるように構成されている。
したがって、通気口１６２の有効開口面積は、気圧差調整扉１６４の揺動角度に応じて変化するようになっている。
【００３７】
次に動作について説明する。
初期状態として、玄関扉１３０は閉じられており、扉保持機構１６６によって係合凸部１６６Ａが気圧差調整扉１６４の係合凹部１６４Ａに向かって突出して係合している状態であるとする。
閉鎖している玄関扉１３０を開けるために、ノブ１６０を回動すると、扉保持機構１６６によって係合凸部１６６Ａが気圧差調整扉１６４の係合凹部１６４Ａから退避して係合が解除される。そして、玄関扉１３０を開放方向に移動すると、室内と室外との気圧差に応じて室外から室内に向かって矢印Ｄ方向の空気が通気口１６２に向かって流れることによって、図７（Ｂ）に示すように、気圧差調整扉１６４が閉鎖位置から開放位置に向かって揺動される。
【００３８】
この結果、通気口１６２が開放され、室外の空気が室内に向かって流れることで、室内と室外の気圧差が緩和され、玄関扉１３０の開放が容易に行える。玄関扉１３０が閉められた後、気圧差調整扉１６４は付勢部材の付勢によって開放位置から閉鎖位置に復帰し、扉保持機構１６６によって係合凸部１６６Ａが気圧差調整扉１６４の係合凹部１６４Ａに向かって突出して係合し、気圧差調整扉１６４が閉鎖位置で保持される。
【００３９】
なお、通気口１６２の開口面積は、室内と室外との気圧差を緩和するために流通する給気量が十分なものとなるように設定すればよい。また、通気口１６２は、玄関扉１３０に設けるので、その開口面積を広くとることが可能である。
また、換気扇１３８を動作させて室内の空気を室外に排気している場合にも、室内と室外の気圧差が緩和され、玄関扉１３０を容易に開放することができる。
【００４０】
前述したように、通気口１６２の有効開口面積は、気圧差調整扉１６４の揺動角度に応じて変化する。したがって、通気口１６２を通過する給気量は、気圧差調整扉１６４の揺動角度に応じて変化する。このため、高層マンションのように高層階と低層階とで室内と室外との気圧差が異なるような場合であっても、気圧差調整扉１６４が上記気圧差に対応して流れる空気量に応じて揺動することによって、通気口１６２を通過する空気の量（給気量）が階の高さに対応して適正な値に調整される。
【００４１】
図８は、第２の参考例の変形例を示す気圧差調整扉の動作説明図であり、図８（Ａ）は気圧差調整扉が閉鎖位置にある状態を示し、図８（Ｂ）は気圧差調整扉が開放位置にある状態を示す。
図８に示すように、気圧差調整扉１６４は、その上端の箇所において通気口１６２の縁部の箇所においてヒンジ１６４Ｃによって揺動可能に支持され、通気口１６２を開放する開放位置（図８（Ｂ））と、閉鎖する閉鎖位置（図８（Ａ））との間を移動可能に支持されている。そして、気圧差調整扉１６４は、その自重によって閉鎖位置に位置するように構成されており、気圧差調整扉１６４の下部１６４Ｆが通気口１６２の下縁部１６２Ｂに当接することで閉鎖位置を超えて揺動されないようになっている。
【００４２】
気圧差調整扉１６４の下端の箇所には、係合凹部１６４Ｃが設けられている。
扉保持機構１６６は、図６、図７の場合と同様に、ノブ１６０の操作に連動して気圧差調整扉１６４の係合凹部１６４Ｄと係脱する係合凸部１６６Ｂを有している。
扉保持機構１６６は、玄関扉１３０が閉鎖される際、係合凸部１６６Ｂを気圧差調整扉１６４の係合凹部１６４Ｄに突出させて係合させることで、気圧差調整扉１６４を閉鎖位置で保持するように構成されている。
【００４３】
また、扉保持機構１６６は、玄関扉１３０を開放する際のノブ１６０の操作、すなわち図６に示すようにノブ１６０を実線位置から破線位置へ回動する操作にによって係合凸部１６６Ｂを気圧差調整扉１６４の係合凹部１６４Ｄから退避させて係合を解除することで、気圧差調整扉１６４の閉鎖位置での保持を解除するように構成されている。
【００４４】
気圧差調整扉１６４は、扉保持機構１６６による保持が解除された状態で前述した気圧差調整扉１６４の自重によって閉鎖位置に位置するように構成されている。そして、扉保持機構１６６による保持が解除された際に通気口１６２の箇所を室外から室内（玄関室）に向かって流れる空気（矢印Ｄ）によって閉鎖位置から開放位置に向かって揺動されるように構成されている。
したがって、通気口１６２の有効開口面積は、気圧差調整扉１６４の揺動角度に応じて変化するようになっている。
【００４５】
上記構成によれば、先に延べた第２の参考例の場合と同様の作用効果を奏する。また、この変形例では、第２の参考例の構成に比較して、気圧差調整扉１６４が自重によって閉鎖位置に位置するように構成されているため、気圧差調整扉１６４を閉鎖位置に付勢する付勢部材が不要となる効果がある。
【００４６】
次に、図９を参照して第３の実施の形態について説明する。図９は第３の実施の形態の構成を示す全体構成図である。なお、図９において、図１と同一の部分には同一の符号を付してその説明を省略する。
図９は、基本的に図１の構成と同じであり、第１の参考例で説明したのと同様に、室内給気口１３２、スリーブ１４６、室外給気口１３４を通して室外の空気を室内に導いている。
【００４７】
そして、第３の実施の形態では、室内の空気を室外へ排気するための換気扇１３８と、換気扇１３８によって排気される空気を室内から室外に導く排気ダクト１４０との他に、給気ダクト１７０を設けている。
給気ダクト１７０は、その給気ダクト１７０の一方の開口部が換気扇１３０の空気を吸入する部分の近傍に配置され、給気ダクト１７０の他方の開口部が室外に臨む箇所に配置され、屋内天井裏空間１１４から屋外天井裏空間１１６を経由して配設されている。すなわち、給気ダクト１７０は、換気扇１３８の空気を吸入する部分の近傍に室外の空気を導くように構成されている。
【００４８】
上記構成によれば、換気扇１３８を作動させて、排気ダクト１４０を通して室内の空気を室外に排気すると同時に、給気ダクト１７０を通して室外の空気が換気扇１３８の近傍に導かれるので、室内と室外との気圧差が緩和される。その結果、玄関扉１３０を容易に開くことが可能となる。
上述した給気ダクト１７０は、上述した各実施の形態に適用することが可能であることはもちろんである。
【００４９】
【発明の効果】
本発明装置は、室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、室内天井壁と、室外天井壁と、上壁と、側壁と、隔壁と、室内給気口と、室外給気口と、スリーブとを備え、前記室内天井壁は、その下方に室内が臨む箇所に設けられ、前記室外天井壁は、その下方に室外に臨む空間が位置する箇所に設けられ、前記上壁は、前記室内天井壁及び前記室外天井壁の上方にこれら天井壁と間隔を隔てて設けられ、前記側壁は、前記室内天井壁と前記室外天井壁と前記上壁とを接続し、これらの壁により天井裏の空間を形成するように設けられ、前記隔壁は、前記室内天井壁と前記室外天井壁の間の箇所に配設され、前記天井裏の空間を室内天井裏空間と室外天井裏空間とに隔てるように設けられ、前記室内給気口は、前記室内天井壁の前記開口部の近傍の箇所で前記室内と前記室内天井裏空間とを連通するように設けられ、前記室外給気口は、前記室外天井壁の前記開口部の近傍の箇所で前記室外と前記室外天井裏空間とを連通するように設けられ、前記隔壁には前記開口部の近傍の箇所で、かつ、前記室内給気口および前記室外給気口の近傍の箇所で、前記室内天井裏空間と前記室外天井裏空間とを連通する貫通孔が設けられ、前記スリーブは前記隔壁の厚さと同じ寸法の長さを有して前記貫通孔内に配設され、前記室内と前記室外との間に気圧差が発生した状態で前記開閉扉を開放した際に、前記室外給気口、前記室外天井裏空間、前記スリーブ、前記室内天井裏空間、前記室内給気口をこの順番で経由して前記室外から前記室内に流れる空気によって前記室内と前記室外との気圧差が緩和され前記開閉扉が容易に開放できるに足る給気量が確保できるように、前記スリーブの有効開口面積および設置数が設定されるように構成した。
そのため、開閉扉を開閉したときに、室外の室内給気口、スリーブ、室外給気口を通って室外の空気が室内に導かれるので、室内と室外の気圧差が緩和され扉の開閉を容易に行うことができる。
【００５０】
また、本発明は、室内と室外とを連通する開口部と該開口部を開閉する開閉扉とを備える建築物に配設され、前記開閉扉の開閉時に室内と室外の間で空気を流通させることで前記建築物の室内と室外の気圧差を緩和する気圧差調整装置であって、壁部と、スリーブと、開口面積調整手段とを備え、前記壁部は前記建築物の室内と室外とを隔てるように設けられ、前記壁部には前記開口部の近傍の箇所で室内と室外とを連通する貫通孔が設けられ、前記スリーブは前記壁部の厚さと同じ寸法の長さを有して前記貫通孔内に配設され、前記室内と前記室外との間に気圧差が発生した状態で前記開閉扉を開放した際に、前記スリーブを経由して前記室外から前記室内に流れる空気によって前記室内と前記室外との気圧差が緩和され前記開閉扉が容易に開放できるに足る給気量が確保できるように、前記スリーブの有効開口面積および設置数が設定され、前記開口面積調整手段は、前記スリーブの室内または室外に臨む箇所に設けられ、前記スリーブの有効開口面積の大きさを調整するように構成した。
そのため、開閉扉を開閉したときに、スリーブを通って室外の空気が室内に導かれるので、室内と室外の気圧差が緩和され扉の開閉を容易に行うことができるる。そして、スリーブの有効開口面積が開口面積調整手段によって調整されるので、室外から室内に導かれる空気の量（給気量）を任意に調整することができる。
【図面の簡単な説明】
【図１】  本発明に気圧差調整装置の第１の参考例の構成を示す全体構成図である。
【図２】  第１の参考例における要部の説明図である。
【図３】  第１の実施の形態を示す要部の説明図である。
【図４】  第２の実施の形態を示す要部の説明図である。
【図５】  玄関扉の説明図であり、図５（Ａ）は正面図、図５（Ｂ）は側面図を示す。図６は玄関扉のノブの操作を説明する説明図である。
【図６】  玄関扉のノブの操作を説明する説明図である。
【図７】  気圧差調整扉の動作説明図であり、図７（Ａ）は気圧差調整扉が閉鎖位置にある状態を示し、図７（Ｂ）は気圧差調整扉が開放位置にある状態を示す。
【図８】  第２の参考例の変形例を示す気圧差調整扉の動作説明図であり、図８（Ａ）は気圧差調整扉が閉鎖位置にある状態を示し、図８（Ｂ）は気圧差調整扉が開放位置にある状態を示す。
【図９】  第３の実施の形態の構成を示す全体構成図である。
【符号の説明】
１０４  側壁
１０６  上壁
１０８  室内天井壁
１１０  室外天井壁
１１２  隔壁
１２８  開口部
１３０  玄関扉（開閉扉）
１３２  室内給気口
１３４  室外給気口
１３６  気圧差調整ダクト
１３８  換気扇
１４０  排気ダクト
１４６、１５０  スリーブ
１５２  開口面積調整手段
１６２  通気口
１６４  気圧差調整扉
１６６  扉保持機構
１７０  給気ダクト
【図１】
0004033422.tif 000002
【図２】
0004033422.tif 000003
【図３】
0004033422.tif 000004
【図４】
0004033422.tif 000005
【図５】
0004033422.tif 000006
【図６】
0004033422.tif 000007
【図７】
0004033422.tif 000008
【図８】
0004033422.tif 000009
【図９】
0004033422.tif 000010